(57)【特許請求の範囲】
【請求項１】
１５〜７５℃で、（ｉ）１〜６０重量％の、式（ＣＨ３）３ＳｉＯ｛（ＣＨ３）２ＳｉＯ｝ｙＳｉ（ＣＨ３）３（式中、ｙは０〜５である）を有する短鎖線状メチルシロキサンおよび４０〜９９重量％の水の割合で単一相組成物中に存在する、４０〜９５重量％の、前記短鎖線状メチルシロキサンおよび前記水；ならびに（ｉｉ）１〜４０重量％の陽イオン性界面活性剤および６０〜９９重量％の非ケイ素原子含有非イオン性界面活性剤の割合で単一相組成物中に存在する、５〜６０重量％の、前記陽イオン性界面活性剤および前記非イオン性界面活性剤；を含有する単一相組成物を含むマイクロエマルジョンであって、前記短鎖線状メチルシロキサンが５０ナノメーター未満の平均直径を有する小滴として単一相組成物中に存在するマイクロエマルジョン。
【請求項２】
前記非イオン性界面活性剤は、式Ｒ−（ＯＣＨ２ＣＨ２）ａＯＨ（式中、Ｒは炭素数８〜２０の脂肪炭化水素残基であり、そしてａは１〜１００である）のアルコールエトキシレートである、請求項１に記載のマイクロエマルジョン。
【請求項３】
前記陽イオン性界面活性剤は、式Ｒ'Ｒ''Ｒ'''Ｒ''''Ｎ＋Ｘ−（式中、Ｒ'、Ｒ''、Ｒ'''およびＲ''''は炭素数１２〜３０のアルキル基、あるいは獣脂、ヤシ油またはダイズに由来するアルキル基であり、そしてＸはハロゲンである）の第四級アンモニウム塩である請求項１または２に記載のマイクロエマルジョン。
【請求項４】
前記陽イオン性界面活性剤は、式Ｒ'Ｒ''Ｎ＋（ＣＨ３）２Ｘ−（式中、Ｒ'およびＲ''は炭素数１２〜３０のアルキル基、あるいは獣脂、ヤシ油またはダイズ由来のアルキル基であり、そしてＸはハロゲンである）を有する請求項３に記載のマイクロエマルジョン。
【発明の詳細な説明】
【０００１】
【発明の属する技術分野】
本発明は、シリコーンおよび水を含有する単一相の形態の組成物である。特に、本組成物は、２つ以上の非混和性の液体、即ちシリコーンと水と界面活性剤（単数または複数）の、単一または一相の、透明な、熱力学的に安定な混合物である。本組成物は、１５〜７５℃の範囲の温度で安定である。
【０００２】
本発明は、構成成分を混合するための機械的エネルギーがほとんど無くても形成される光学的に清澄な単一相シリコーンマイクロエマルジョンである。特に、水、短鎖線状メチルシロキサンおよび非イオン性界面活性剤と陽イオン性界面活性剤の組合せの三成分組成物は、併合して、手で振って静かに混合するかまたは磁気攪拌子で攪拌すると、光学的に清澄な一相シリコーンマイクロエマルジョンを自発的に提供する。
【０００３】
【従来の技術】
エマルジョン、特にシリコーンエマルジョンは不透明で、濁っていて、放置すると分離する傾向がある、ということは十分実証されている（米国特許第4,999,398号）。これに対比して、マイクロエマルジョンは、それらが熱力学的に安定であり、そして典型的エマルジョン小滴より小さい平衡微細構造を含有するために、望ましい。したがって、その生成物は無期限に安定であり、光学的に清澄であり得る。
【０００４】
本明細書中で用いる場合、エマルジョンまたはマクロエマルジョンという用語は、１００〜１，０００ナノメートル（０．１〜１．０μｍ／１，０００〜１０，０００オングストロームÅ）の範囲の直径を有する、小滴の形態での、一方の物質中のもう一方の非混和性液体の混合物を意味する。これに対比して、マイクロエマルジョンとは、２つ以上の非混和性液体と１つ以上の界面活性剤および補助界面活性剤の、単一または一相の透明な、熱力学に安定な混合物を意味する。
【０００５】
混乱を避けるために、マイクロエマルジョンという用語は、非常に小さい構造サイズおよび屈折率適合によって透明である組成物を含めた、水、油および界面活性剤を含有するあらゆる透明な組成物を記載するために文献中で用いられてきた、ということに留意すべきである。しかしながら、構成成分の付加の順序、それらの重合または高エネルギー混合が関与する時を考慮すると、どの型の組成物が実際に作られているかは、調製物の詳細からほとんど常に明らかである。
【０００６】
マイクロエマルジョンは、それらが、典型的には５００ナノメートルのオーダーである可視光線の波長より小さい構造を有するために、清澄または透明である。さらに、マイクロエマルジョンは、その用語が本明細書中で用いられる場合は、油および界面活性剤単層または水および界面活性剤単層から成る自発的自己集合性集合体である構造を含有する。水と油から成ることを示す別個の領域が存在するけれども、該領域は自発的に自己集合する分子集合体から成るため、その系は当然一相として記載される。
【０００７】
マイクロエマルジョンは、水中に分散される油小滴（Ｏ／Ｗ）、油中に分散される水小滴（Ｗ／Ｏ）を含有し得るか、あるいはそれらは二連続構造またはその他の構造の形態であり得る。それらはマイクロエマルジョンとあらゆる過剰な富油相または富水相との間の超低界面張力を特徴とする。
【０００８】
マイクロエマルジョンは、（ｉ）それが油、水および界面活性剤を含有し、（ｉｉ）油に対して高濃度の界面活性剤が存在し、（ｉｉｉ）系が光学的に清澄であり、（ｉｖ）相が遠心分離により分離せず、そして（ｖ）系が自発的に生じるという、その固有の特徴のいくつかにより認識される。
【０００９】
したがって、本発明の目的に関しては、エマルジョンは１００ナノメートル（０．１μｍ／１，０００オングストロームÅ）より大きい平均直径を有する構造を含有するが、一方マイクロエマルジョンは１００ナノメートル（０．１μｍ／１，０００オングストロームÅ）未満、好ましくは５０ナノメートル（０．０５μｍ／５００オングストロームÅ）未満の平均直径を有する構造を含有すると考えられる。清澄度または透明度は、分散相の構造サイズにより多大に制御される。光の散乱は、構造サイズによる。したがって、本発明の清澄なまたは透明な組成物は、後述するように、裸眼で見た場合に小滴または構造を有さない単一相である。
【００１０】
さらに、エマルジョンは経時的に分離する固有の不安定系として認識される。これに対比して、本発明のマイクロエマルジョンは自発的に生じ、無期限に安定である。構成成分の付加の順序はそれらの生成に影響を及ぼさず、一相マイクロエマルジョンを生じさせるには、それらの安定性の温度範囲で単に手で振るだけで十分である。
【００１１】
これらの自発的に生成される単一相清澄マイクロエマルジョンは、身体ケアの活舞台で特別な価値を有する。三成分系の環状メチルシロキサン成分の独特の揮発特性のために、それは単独で用いられ、またはその他の化粧品液と配合されて、種々の店頭販売用身体ケア製品を生成し得る。
【００１２】
したがって、それは、乾いた感触を残し、蒸発時に皮膚を冷却しないため、制汗剤および消臭剤中の担体として有用である。それは平滑であり、スキンクリーム、スキンケアローション、モイスチャライザー、フェイシャルトリートメント剤、例えばニキビまたは皺除去剤、身体および顔面用清浄剤、浴用油、香料、オーデコロン、サッシェ、サンスクリーン剤、プレシェーブおよびアフターシェーブローション、ひげ剃り石鹸ならびにひげ剃り用泡剤の特性を改良する。それは、ヘアシャンプー、ヘアコンディショナー、ヘアスプレー、ムース、パーマネント剤、脱毛剤およびキューティクルコート剤中に用いて、光沢および乾燥時間を増強し、コンディショニング効果を提供し得る。化粧品中で、それは、メークアップ剤、着色化粧品、ファンデーション、頬紅、口紅、アイライナー、マスカラ、油分除去剤、着色化粧品除去剤および白粉中の顔料のための均展剤および展着剤として機能する。それは油溶性および水溶性物質、例えばビタミンのための送出系として有用である。スティック、ゲル、ローション、エアゾールおよびロールオン製品に混入されると、三成分組成物は乾いた、絹のように滑らかな使い心地を付与する。
【００１３】
さらに、これらの自発的に生成される清澄一相マイクロエマルジョンは、例えば（ｉ）清澄性、（ｉｉ）非常に小さい構造サイズ、（ｉｉｉ）超低界面張力、（ｉｖ）単一均質流体中の水および油の特性を併合する能力、（ｖ）保存性、そして（ｖｉ）調製の容易性といった種々の好都合で且つ有益な性質を示すため、それらは織物仕上げのようなその他の活舞台において広範な用途を有する。
【００１４】
【発明が解決しようとする課題】
本発明の目的は、（ｉ）水、（ｉｉ）短鎖線状メチルシロキサン、および（ｉｉｉ）非イオン性界面活性剤と陽イオン性界面活性剤の組合せを単に併合することにより単一相清澄マイクロエマルジョンを生成することである。
【００１５】
これは、清澄生成物が、清澄性を達成するために必要な小構造サイズを得るために従来必要とされた高剪断を用いずに作製され得るため、意義がある。
【００１６】
これらの単一相清澄マイクロエマルジョンは、それらが混合および剪断用具によるエネルギーを必要としないという意味で、自発的に生成する。したがって、タービン、インペラー、コロイドミル、ホモジナイザーまたは音波処理機は、これらの系を生成するのに必要でない。適量の三成分を適切な容器に付加し、容器を手で振ることが必要なだけである。もちろん、構成成分はより多くのエネルギーにより混合され、剪断され得るし、清澄単一相系は依然として得られるが、しかしこのような付加的エネルギー使用からは利点は生じない。
【００１７】
【課題を解決するための手段】
本発明は、ある種の界面活性剤の混合物を用いて、シリコーン油の熱力学的に安定した光学的に透明なマイクロエマルジョンを作製する。好ましい界面活性剤は、任意に陽イオン性の一尾または二尾(single or double tailed)第四級アンモニウム塩界面活性剤と任意に組合せたエトキシル化アルコール界面活性剤である。これらの単一相系を生成するのに必要な界面活性剤の総濃度は低く、界面活性剤の混合物は、適切なマイクロエマルジョン相の温度ウインドウを制御するようあつらえられ得る。
【００１８】
請求項１の発明は、１５〜７５℃で、（ｉ）１〜６０重量％の、式（ＣＨ３）３ＳｉＯ｛（ＣＨ３）２ＳｉＯ｝ｙＳｉ（ＣＨ３）３（式中、ｙは０〜５である）を有する短鎖線状メチルシロキサンおよび４０〜９９重量％の水の割合で単一相組成物中に存在する、４０〜９５重量％の、前記短鎖線状メチルシロキサンおよび前記水；ならびに（ｉｉ）１〜４０重量％の陽イオン性界面活性剤および６０〜９９重量％の非ケイ素原子含有非イオン性界面活性剤の割合で単一相組成物中に存在する、５〜６０重量％の、前記陽イオン性界面活性剤および前記非イオン性界面活性剤；を含有する単一相組成物を含むマイクロエマルジョンであって、前記短鎖線状メチルシロキサンが５０ナノメーター未満の平均直径を有する小滴として単一相組成物中に存在するマイクロエマルジョンである。
請求項２の発明は、前記非イオン性界面活性剤は、式Ｒ−（ＯＣＨ２ＣＨ２）ａＯＨ（式中、Ｒは炭素数８〜２０の脂肪炭化水素残基であり、そしてａは１〜１００である）のアルコールエトキシレートである、請求項１に記載のマイクロエマルジョンである。
請求項３の発明は、前記陽イオン性界面活性剤は、式Ｒ'Ｒ''Ｒ'''Ｒ''''Ｎ+Ｘ-（式中、Ｒ'、Ｒ''、Ｒ'''およびＲ''''は炭素数１２〜３０のアルキル基、あるいは獣脂、ヤシ油またはダイズに由来するアルキル基であり、そしてＸはハロゲンである）の第四級アンモニウム塩である請求項１または２に記載のマイクロエマルジョンである。
請求項４の発明は、前記陽イオン性界面活性剤は、式Ｒ'Ｒ''Ｎ＋（ＣＨ３）２Ｘ−（式中、Ｒ'およびＲ''は炭素数１２〜３０のアルキル基、あるいは獣脂、ヤシ油またはダイズ由来のアルキル基であり、そしてＸはハロゲンである）を有する請求項３に記載のマイクロエマルジョンである。
本発明の独特の且つ新規の特徴は、少量の界面活性剤の混合物を用いたシリコーン油のマイクロエマルジョンを自発的に調製するその能力、ならびにある温度範囲内のその安定性である。前記の三成分系の構成成分の賢明な選択は、安定な組成物の温度範囲を提供する。
【００１９】
これは、このような界面活性剤を用いたシリコーン油のマイクロエマルジョンの調製のための有効な方法の最初の実際的立証であると思われる。従来の考えは、このような一相安定混合物を生成するには多量のエトキシル化アルコール界面活性剤が必要であるというものである。しかしながら、本発明の一実施態様によれば、第四級アンモニウム界面活性剤の付加は、重量％を基礎にして４つのうちの１因子によりこのようなマイクロエマルジョンを生成するのに必要な界面活性剤の全体量を低減し、それにより商業的目的のためのより実行可能なアプローチを提供する。
【００２０】
前記のように、これらのマイクロエマルジョンは多数の身体ケア用途に有用であるが、しかし特に消臭剤またはスキンケアローションとして有用であり、それらは脂溶性香料を送出するために用い得る。さらに、マイクロエマルジョンは、織物仕上げに、そしてコンディショニングシャンプー中の添加剤として用いるためのシリコーン油の非常に小さい、即ち５０ｎｍより小さい小滴の供給源として用い得る。それらは、シリコーン油の希釈のために典型的に用いられるより揮発性の溶媒の代替物も提供する。そして、それらは単一相として存在するために、マイクロエマルジョンは処理が非常に容易であることが判明した。
【００２１】
本発明の組成物は、ある温度領域内で、即ち１５〜７５℃で安定であり、これはそれらの調製物中に利用される界面活性剤の混合物によっている。特定の当該物の温度範囲を提供するために、安定性のこの領域は、界面活性剤の注意深い選択により変え得る。しかしながら、組成物はすべて、０℃より低い温度で不安定になる。
【００２２】
【発明の実施の形態】
本発明のマイクロエマルジョンは、水（Ａ）、シリコーン油（Ｂ）および界面活性剤（Ｃ）の熱力学的に安定な三成分等方性混合物である。特に該マイクロエマルジョンは、このような系に関する三成分図の単一相中に存在する組成物である。
【００２３】
したがって、水（Ａ）、シリコーン油（Ｂ）および界面活性剤（Ｃ）の三成分混合物に関する典型的温度−組成物相図は、ｙ軸変数として摂氏で表される温度を有し、それはｘ軸変数に関してγとして表される界面活性剤の重量％を有する。
【００２４】
これらの型の図は、一般に、αが（油の重量）／（油の重量＋水）ｘ１００と定義される組成物を示す。したがって、等量の油および水は、α＝５０である。その他の図は、５０から変化するαに関して存在する。このような図は、温度および組成物の関数として三成分系の相挙動の進行を描く、各三成分系の相プリズム図から得ることができる。
【００２５】
温度−組成物相図は、少なくとも４つの領域に分けられ得る。一相領域、三相領域および１対の二相領域が存在する。
【００２６】
本発明の当該領域である一相領域では、界面活性剤（Ｃ）は油（Ｂ）および水（Ａ）のすべてを単一平衡マイクロエマルジョン相中に可溶化する。この可溶化を成し遂げるのに必要な界面活性剤（Ｃ）の最低量は、界面活性剤濃度γminで生じる。γは、γ＝Ｃ／Ａ＋Ｂ＋Ｃと定義される。この関係において、γminは特定の界面活性剤（Ｃ）の有効性を示す。
【００２７】
本発明の三成分組成物は、（ｉ）水、（ｉｉ）短鎖線状メチルシロキサンおよび（ｉｉｉ）非イオン性界面活性剤と陽イオン性界面活性剤の組合せを含有する。３つの構成成分を組合せて、その他の物質を付加せずに、清澄な一相組成物を生成し得る。
【００２８】
したがって、組成物は、塩、補助界面活性剤、モノヒドロキシアルコール、ならびにジオールおよびトリオール、例えばエチレングリコールおよびグリセロールのような非必須成分を含入してもしなくても、調製される。このような非必須成分を排除する能力は、それが、昔は清澄なまたは透明な物質に達するためにしばしば頼っていた屈折率適合の必要性をなくするので、特に有益且つ好都合である。
【００２９】
３つの構成成分は、任意の所定の付加順序で組合せられる。熱は溶解性を増強し、表面張力を低下させ、そして粘度を低減するが、しかしその適用は必要でない。ほとんどの場合、室温（２０〜２５℃／６８〜７７゜Ｆ）で十分である。
【００３０】
三成分組成物の油成分は、式（ＣＨ３）３ＳｉＯ｛（ＣＨ３）２ＳｉＯ｝ｙＳｉ（ＣＨ３）３（式中、ｙは０〜５である）を有する短鎖線状メチルシロキサンである。
【００３２】
いくつかの適切な短鎖線状メチルシロキサンは、沸点１００℃で、粘度０．６５ｍｍ2／ｓで、式Ｍｅ3ＳｉＯＳｉＭｅ3を有するヘキサメチルジシロキサン（ＭＭ）、沸点１５２℃で、粘度１．０４ｍｍ2／ｓで、式Ｍｅ3ＳｉＯＭｅ2ＳｉＯＳｉＭｅ3を有するオクタメチルトリシロキサン（ＭＤＭ）、沸点１９４℃で、粘度１．５３ｍｍ2／ｓで、式Ｍｅ3ＳｉＯ（Ｍｅ2ＳｉＯ）2ＳｉＭｅ3を有するデカメチルテトラシロキサン（ＭＤ2Ｍ）、沸点２２９℃で、粘度２．０６ｍｍ2／ｓで、式Ｍｅ3ＳｉＯ（Ｍｅ2ＳｉＯ）3ＳｉＭｅ3を有するドデカメチルペンタシロキサン（ＭＤ3Ｍ）、沸点２４５℃で、粘度２．６３ｍｍ2／ｓで、式Ｍｅ3ＳｉＯ（Ｍｅ2ＳｉＯ）4ＳｉＭｅ3を有するテトラデカメチルヘキサシロキサン（ＭＤ4Ｍ）、そして沸点２７０℃で、粘度３．２４ｍｍ2／ｓで、式Ｍｅ3ＳｉＯ（Ｍｅ2ＳｉＯ）5ＳｉＭｅ3を有するヘキサデカメチルヘプタシロキサン（ＭＭ）である。
【００３３】
前記のように、組成物は非イオン性界面活性剤を含有する。非イオン性界面活性剤は、非ケイ素原子含有非イオン性乳化剤であるべきである。本発明に最も好ましいのは、アルコールエトキシレートＲ−（ＯＣＨ2ＣＨ2）aＯＨ、特に脂肪アルコールエトキシレートである。このような脂肪アルコールエトキシレートは、それらの分子中に、炭素数８〜２０の脂肪炭化水素残基Ｒ、例えばラウリル（Ｃ12）、セチル（Ｃ16）およびステアリル（Ｃ18）に結合される特性基−（ＯＣＨ2ＣＨ2）aＯＨを含有する。「ａ」は１〜１００の値を有し得るが、典型的には１２〜４０である。
【００３４】
本発明に用いるのに適した非イオン性界面活性剤のいくつかの例は、ポリオキシエチレン（４）ラウリルエーテル、ポリオキシエチレン（２３）ラウリルエーテル、ポリオキシエチレン（２）セチルエーテル、ポリオキシエチレン（１０）セチルエーテル、ポリオキシエチレン（２０）セチルエーテル、ポリオキシエチレン（２）ステアリルエーテル、ポリオキシエチレン（１０）ステアリルエーテル、ポリオキシエチレン（２０）ステアリルエーテル、ポリオキシエチレン（２１）ステアリルエーテル、ポリオキシエチレン（１００）ステアリルエーテル、ポリオキシエチレン（２）オレイルエーテルおよびポリオキシエチレン（１０）オレイルエーテルである。
【００３５】
これらのそしてその他のこのような脂肪アルコールエトキシレートは、例えばアルフォニック（商品名）、ブリジ（商品名）、ゲナポール（商品名）、ネオドール（商品名）、サーフォニック（商品名）およびトリコール（商品名）といった種々の名称で市販されており、容易に入手可能である。
【００３６】
本組成物は、非イオン性界面活性剤の他に、陽イオン性界面活性剤も含有する。本発明に有用な陽イオン性界面活性剤としては、正に荷電した分子中に第四級アンモニウム親水性部分を含有する化合物、例えば第四級アンモニウム塩Ｒ'Ｒ''Ｒ'''Ｒ''''Ｎ＋Ｘ−が挙げられる。最も好ましいのは、ジアルキルジメチルアンモニウム塩Ｒ'Ｒ''Ｎ＋（ＣＨ３）２Ｘ−（式中、Ｒ'、Ｒ''、Ｒ'''およびＲ''''は炭素数１２〜３０のアルキル基、あるいは例えば獣脂、ヤシ油またはダイズ由来のアルキル基を示し、Ｘはハロゲン、例えば塩素または臭素を表す）である。
【００３７】
用いられる代表的な第四級アンモニウム塩は、ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナツジメチルアンモニウムクロリド、ジ獣脂ジメチルアンモニウムクロリドおよびジ獣脂ジメチルアンモニウムブロミド（ＤＴＡＢ）である。
【００３８】
これらのそしてその他のこのような第四級アンモニウム塩は、例えば商品名アドゲン、商品名アルクアッド、商品名トマーおよび商品名バリクアットといった種々の名称で市販されており、容易に入手可能である。
【００３９】
本発明の組成物は、４０〜９５重量％の短鎖線状メチルシロキサンおよび水を含有する。短鎖線状メチルシロキサンおよび水は、１〜６０重量％の短鎖線状メチルシロキサンおよび４０〜９９重量％の水の割合で単一相組成物中に存在する。
【００４０】
組成物は、５〜６０重量％の界面活性剤も含有する。界面活性剤は非イオン性界面活性剤と陽イオン性界面活性剤の組合せを包含する。陽イオン性界面活性剤および非イオン性界面活性剤は、１〜４０重量％の陽イオン性界面活性剤および６０〜９９重量％の非イオン性界面活性剤の割合で、単一相組成物中に存在する。
【００４１】
単一相組成物中の短鎖線状メチルシロキサンは、最も好ましくは、清澄性を提供するために、５０ナノメートル未満の平均構造または小滴直径を有する。光学的清澄性を確定するために用いられる判定基準は、一相マイクロエマルジョンを充填した直径２ｃｍの瓶を通して裸眼で文章を読むことができるか否かである。
【００４２】
例えば、教科書Microemulsions Theory and Practice, Edited by Leon M. Prince, Academic Press, Inc., Pages 7-10, New York（1977）で述べられているように、「マイクロエマルジョンの視覚的認識は、軽々しくなされるべきでない。実際、マイクロエマルジョン化学者は、この業界では注意深く自身を訓練する必要がある。人工光源よりむしろ日光の使用が推奨される。青色光での光学顕微鏡の分解能限界は０．１μｍにすぎず、したがって０．１４μｍより小さい小滴は観察できないため、眼の方が顕微鏡よりよい。」
【００４３】
【実施例】
以下の実施例において、実施例１〜２、４〜７及び９〜１０は参考例である。
実施例１
５０部の脱イオン水、５０部のオクタメチルシクロテトラシロキサンおよび９２．３部のエトキシル化アルコール界面活性剤Ｒ−（ＯＣＨ２ＣＨ２）ａＯＨ（式中、ＲはＣ８Ｈ１７であり、ａは３である）を容器に単に付加することにより、４３〜５０℃の範囲の温度で自発的に、光学的に清澄な単一相組成物を生成させた。混合物を静かに攪拌した。
【００４４】
実施例２
５０部の脱イオン水、５０部のデカメチルシクロペンタシロキサンおよび１２７．３部のエトキシル化アルコール界面活性剤Ｒ−（ＯＣＨ2ＣＨ2）aＯＨ（式中、ＲはＣ8Ｈ17であり、ａは３である）を容器に単に付加することにより、５１〜６１℃の範囲の温度で自発的に、光学的に清澄な単一相組成物を生成させた。混合物を静かに攪拌した。
【００４５】
実施例３
５０部の脱イオン水、５０部のデカメチルテトラシロキサンおよび１５０部のエトキシル化アルコール界面活性剤Ｒ−（ＯＣＨ2ＣＨ2）aＯＨ（式中、ＲはＣ8Ｈ17であり、ａは３である）を容器に単に付加することにより、５５〜６６℃の範囲の温度で自発的に、光学的に清澄な単一相組成物を生成させた。混合物を静かに攪拌した。
【００４６】
実施例４
５０部の脱イオン水、５０部のオクタメチルシクロテトラシロキサンおよび６６．７部のエトキシル化アルコール界面活性剤Ｒ−（ＯＣＨ2ＣＨ2）aＯＨ（式中、ＲはＣ12Ｈ25であり、ａは５である）を容器に単に付加することにより、６９〜７３℃の範囲の温度で自発的に、光学的に清澄な単一相組成物を生成させた。混合物を静かに攪拌した。
【００４７】
実施例５
５０部の脱イオン水、５０部のオクタメチルシクロテトラシロキサンおよび５１部のエトキシル化アルコール界面活性剤Ｒ−（ＯＣＨ2ＣＨ2）aＯＨ（式中、ＲはＣ12Ｈ25であり、ａは３である）を容器に単に付加することにより、１５〜３５℃の範囲の温度で自発的に、光学的に清澄な単一相組成物を生成させた。混合物を静かに攪拌した。
【００４８】
実施例６
５０部の脱イオン水、５０部のオクタメチルシクロテトラシロキサン、１５．９部のエトキシル化アルコール界面活性剤Ｒ−（ＯＣＨ2ＣＨ2）aＯＨ（式中、ＲはＣ8Ｈ17であり、ａは３である）および１．７部の第四級アンモニウム塩陽イオン性界面活性剤ジドデシルジメチルアンモニウムブロミドを容器に単に付加することにより、６６〜７３℃の範囲の温度で自発的に、光学的に清澄な単一相組成物を生成させた。混合物を静かに攪拌した。
【００４９】
実施例７
５０部の脱イオン水、５０部のオクタメチルシクロテトラシロキサン、１８部のエトキシル化アルコール界面活性剤Ｒ−（ＯＣＨ2ＣＨ2）aＯＨ（式中、ＲはＣ12Ｈ25であり、ａは３である）および４部の第四級アンモニウム塩陽イオン性界面活性剤ジドデシルジメチルアンモニウムブロミドを容器に単に付加することにより、４８〜７０℃の範囲の温度で自発的に、光学的に清澄な単一相組成物を生成させた。混合物を静かに攪拌した。
【００５０】
実施例８
５０部の脱イオン水、５０部のデカメチルテトラシロキサン、３０．８部のエトキシル化アルコール界面活性剤Ｒ−（ＯＣＨ2ＣＨ2）aＯＨ（式中、ＲはＣ12Ｈ25であり、ａは３である）および４．３部の第四級アンモニウム塩陽イオン性界面活性剤ジドデシルジメチルアンモニウムブロミドを容器に単に付加することにより、６１〜６６℃の範囲の温度で自発的に、光学的に清澄な単一相組成物を生成させた。混合物を静かに攪拌した。
【００５１】
実施例９
９０部の塩化ナトリウムの５％水溶液、１０部のオクタメチルシクロテトラシロキサンおよび１７．６部のエトキシル化アルコール界面活性剤Ｒ−（ＯＣＨ2ＣＨ2）aＯＨ（式中、ＲはＣ12Ｈ25であり、ａは５である）を容器に単に付加することにより、３５〜４３℃の範囲の温度で自発的に、光学的に清澄な単一相組成物を生成させた。混合物を静かに攪拌した。
【００５２】
実施例１０
９５部の塩化ナトリウムの１％水溶液、５部のオクタメチルシクロテトラシロキサン、１０部のエトキシル化アルコール界面活性剤Ｒ−（ＯＣＨ2ＣＨ2）aＯＨ（式中、ＲはＣ12Ｈ25であり、ａは５である）および１．１部の第四級アンモニウム塩陽イオン性界面活性剤ジドデシルジメチルアンモニウムブロミドを容器に単に付加することにより、６３〜７１℃の範囲の温度で自発的に、光学的に清澄な単一相組成物を生成させた。混合物を静かに攪拌した。
【００５３】
【発明の効果】
本発明は、構成成分を混合するための機械的エネルギーがほとんど無くても形成される光学的に清澄な単一相シリコーンマイクロエマルジョンである。特に、水、短鎖線状メチルシロキサンおよび非イオン性界面活性剤と陽イオン性界面活性剤の組合せの三成分組成物は、併合して、手で振って静かに混合するかまたは磁気攪拌子で攪拌すると、光学的に清澄な一相シリコーンマイクロエマルジョンを自発的に提供する。